(57)【要約】      （修正有）【課題】落下物等に対する強度が高く長期的に高頻度の使用に耐えることができ、使用後の保管や輸送を簡単に行うことができる足場用落下防止装置を提供する。【解決手段】基端部には足場の支柱２１に取り付ける第一クランプ１５を有する、落下防止のための踏板２０を固定する踏板受け管１１と基端部に第二クランプ１６を有し、先端部にあるスライド金具１３により前記踏板受け管に連結されて、前記踏板受け管を下方から支える支持管１２とを備えた足場用落下防止装置１０において、前記スライド金具は、前記踏板受け管上に設けられた第一ストッパー金具と、前記踏板受け管の基端部に設けられた第二ストッパー金具の間をスライドして移動可能に設計され、前記踏板受け管において前記第一ストッパー金具が設けられた部分は補強管により二重管構造となっていることを特徴とする足場用落下防止装置を提供する。【選択図】図１
0003233374.tif 000002
【実用新案登録請求の範囲】
【請求項１】
基端部には足場の支柱に取り付ける第一クランプを有する、落下防止のための踏板を固定する踏板受け管と
基端部に第二クランプを有し、先端部にあるスライド金具により前記踏板受け管に連結されて、前記踏板受け管を下方から支える支持管と
を備えた足場用落下防止装置において、
前記スライド金具は、前記踏板受け管上に設けられた第一ストッパー金具と、前記踏板受け管の基端部に設けられた第二ストッパー金具の間をスライドして移動可能に設計され、
前記踏板受け管において前記第一ストッパー金具が設けられた部分は補強管により二重管構造となっていることを特徴とする足場用落下防止装置。
【請求項２】
前記踏板受け管の先端部には逆Ｕ字環が固定されており、この逆Ｕ字環にロープを通して複数の落下防止装置がまとめられることを特徴とする請求項１の足場用落下防止装置。
【請求項３】
前記踏板受け管の基端部に第二ストッパー金具が設けられており、前記第二ストッパー金具と前記スライド金具との間に踏板を固定することを特徴とする請求項１又は２の足場用落下防止装置。
【考案の詳細な説明】
【技術分野】
【０００１】
本考案は、足場用落下防止装置に関する。具体的には、建設中のビル等の建築物の足場の側方に設けられ、道路上へ建築資材や工具等が落下することを防止する装置に関する。
【背景技術】
【０００２】
従来から、建築中のビルや補修工事中のビル等の建築物の周囲には足場が組まれている。そして、その枠組みした足場から建築資材や工具等の落下物が道路等に落下することを防止するために、踏板を張り出して設置することが行われている。これを設置するための装置は業界では簡易朝顔と呼ばれており、枠組み足場の支柱に固定され、道路側に逆ひさし状に張り出して踏板を保持するものである。
【０００３】
この簡易朝顔と呼ばれる足場用落下防止装置は、通常は、踏板受け管とこれを下から支える支持管を接続用のスライド金具で接続した構造となっており、建設資材としての利便性を高めるために、様々な工夫がなされている。
特許文献１に記載された落下防止部材取付装置においては、支持棒を折りたたみ位置で折りたたんだときの支持棒と落下防止部材取付棒の全体長さを、支持棒を支持位置で折りたたんだときの両端の全体長さより短くなるように設計されている。
特許文献２に記載された足場用落下防止装置においては、足場を増設する場合や足場を解体する場合に、足場の階の増減に応じて、その時の最上階の足場に容易に移動することが出来るように設計されている。
【先行技術文献】
【特許文献】
【０００４】
【特許文献１】特開２０１９−７３０１号公報
【特許文献２】特開２０１９−７８１１４号公報
【考案の概要】
【考案が解決しようとする課題】
【０００５】
しかし、従来技術における落下防止装置は、落下防止部材取付棒と支持棒の連結部分に最も大きな荷重がかかるにもかかわらず、その部分の補強対策が十分ではなかった。このため、落下防止部材取付棒と支持棒を接続する部品であるスライド金具部分において、落下防止部材取付棒が変形してしまう事態が散見され、足場用落下防止装置の長期的な使用に耐えるものではなかった。
【０００６】
また、これらの足場用落下防止装置は、建築物の枠組み足場に沿って水平方向に多数設置し、落下防止部材である多数の踏板を搭載するものであるが、工事が終わると解体され、次の工事現場において再度くみ上げられるものであるため、簡単に取りまとめられて保管ないし輸送ができるものが求められていた。
【０００７】
そこで、本考案は、落下物等に対する強度が高くで長期的で高頻度の使用に耐えることができ、使用後の保管や輸送が簡単に行うことができる足場用落下防止装置を提供することを目的とする。
【課題を解決するための手段】
【０００８】
上記目的を達成するため、請求項１に記載の考案は、基端部には足場の支柱に取り付ける第一クランプを有する、落下防止のための踏板を固定する踏板受け管と、基端部に第二クランプを有し、先端部にあるスライド金具により前記踏板受け管に連結されて、前記踏板受け管を下方から支える支持管とを備えた足場用落下防止装置において、
前記スライド金具は、前記踏板受け管上をスライドして移動可能であるが、前記踏板受け管上に設けられた第一ストッパー金具により、前記踏板受け管の先端部方向への移動が阻止されており、前記踏板受け管において前記第一ストッパー金具が設けられた部分は補強管により二重管構造となっていることを特徴とする足場用落下防止装置である。
【０００９】
請求項２に記載の考案は、請求項１に記載の足場用落下防止装置において、前記踏板受け管の先端部には逆Ｕ字環が固定されており、この逆Ｕ字環にロープを通して複数の落下防止装置がまとめられることを特徴とする。
また、請求項３に記載の考案は、請求項１又は２に記載の足場用落下防止装置において、前記踏板受け管の基端部に第二ストッパー金具が設けられており、前記第二ストッパー金具と前記スライド金具との間に踏板を固定することを特徴とする。
【考案の効果】
【００１０】
本考案による足場用落下防止装置は、落下物等に対する強度が高くで長期的で高頻度の使用に耐えることができ、使用後の保管や輸送が簡単に行うことができる。
【図面の簡単な説明】
【００１１】
【図１】足場用落下防止装置１０の使用状態を示す図である。
【図２】足場用落下防止装置１０の正面図（ｂ）と上から見た平面図（ａ）である。
【図３】踏板受け管１１の先端部にある逆Ｕ字環１７の拡大図である。
【図４】踏板受け管１１の基端部にある第二ストッパー金具１９の拡大図である。
【図５】踏板受け管１１の基端部にある第一クランプ１５の拡大図で、（ａ）は正面図、    （ｂ）は平面図である。
【考案を実施するための形態】
【００１２】
次に、本考案の実施形態を図面に基づき説明する。ただし、以下に示す実施の形態は、本考案の技術思想を具体化するための足場用落下防止装置を例示するものであって、本考案は、足場用落下防止装置を以下のものに限定しない。また、各図面が示す部材の大きさ又は位置関係は、本考案の説明をわかりやすくするために誇張してあることに留意されたい。
【００１３】
（足場用落下防止装置）
図１に示すように本件足場用落下防止装置１０（以下、本件落下防止装置）は、主に、踏板受け管１１と、これにスライド金具１３を介して接続された支持管１２とから構成される。例えば、建造物の建築現場において建造物の周囲に組み上げられた足場の支柱２１に、本件落下防止装置１０を所定の間隔を離して水平方向に複数固定し、踏板受け管１１上に踏板２０を搭載することで、足場２１からの建築資材等の落下物が道路に落下することを防止している。
本件落下防止装置１０は、道路側に逆ひさし状に張り出しているので、保持している踏板２０が落下物を道路側ではなく足場内に落下させ、道路通行人の安全を保持している。
【００１４】
（踏板受け管の構成）
図２に示すとおり、踏板受け管１１は、その基端部から先端部へ向けて、第一クランプ１５、第二ストッパー金具１９、第一ストッパー金具１８及び逆Ｕ字環１７を備えている。スライド金具１３は、踏板受け管１１と支持管１２を接続し、踏板受け管１１上の第一ストッパー金具１８と第二ストッパー金具１９の間を滑動可能なように設計されている。本件落下防止装置１０を収納する際には、スライド金具１３を第二ストッパー金具１９部分まで移動させて折りたたむ。
【００１５】
具体的な実施形態では、踏板受け管１１の全長は２２００ｍｍで、踏板受け管１１の先端部から７０４ｍｍの一部に第一ストッパー金具１８が設けられ、第一ストッパー金具１８から踏板受け管１１の基端部までの長さは１４９６ｍｍである。また、支持管１２の長さは１９００ｍｍである。よって、本件落下防止装置１０を収納・保管時のために折りたたむ際に、スライド金具１３が第二ストッパー金具１９の部分まで移動されると、支持管１２は踏板受け管１１の長さの範囲内に収まる。このため、本件落下防止装置１０を多数的集積した際にも、支持管１２が踏板受け管１１の先に突出することなく整頓することが出来る。
【００１６】
（補強管）
本件落下防止装置１０を使用する場合には、図１に示すように、スライド金具１３は第一ストッパー金具１８の位置まで移動して足場の支柱に固定する。その場合、踏板受け管１１と支持管１２のなす角度は約２５度であり、踏板受け管１１は水平方向から約２０度上方へ逆ひさし状に張り出して固定される。
このため、踏板受け管１１と支持管１２の連結部分に最も大きな荷重がかかる。そこで、本件落下防止装置１０においては、踏板受け管１１の第一ストッパー金具１８部分の前後約２６０ｍｍにわたって二重管構造とした。具体的には、踏板受け管１１の内部に二重管を構成する追加の補強管１４を挿入し、両端部を固定ピン１４ａで固定している。
このような二重管構造とすることにより、落下物が衝突することによる衝撃を受けた場合でも、踏板受け管１１は変形することなく長期の使用に耐えることができる。
【００１７】
（逆Ｕ字環）
図３に逆Ｕ字管１７の拡大図を示す。本件落下防止装置１０の使用後に、この管にロープを通すことにより、複数の落下防止装置１０を効率的に集積して積み上げることが可能となる。前記したように、本件落下防止装置１０を折りたたむと、支持管１２が踏板受け管１１の先端部より突出しないこととあいまって、多数の本件落下防止装置１０を保管あるいは輸送する際に、取り扱いが容易となる。
【００１８】
（ストッパー金具）
図４に踏板受け管１１の第一クランプ１５の手前に設置される第二ストッパー金具１９の拡大図を示す。踏板２０は、この第二ストッパー金具１９とスライド金具１３との間に固定される。第二ストッパー金具も同一の構造となっている。
【００１９】
（クランプ）
図５に踏板受け管１１の基端部に設置する第一クランプ１５の拡大図を示す。なお、支持管１２の基端部に設置する第二クランプ１６も、第一クランプ１５と同じ構造である。
図５から明らかなように、ボルトにより締め付けて足場の支柱に固定するように設計されている。特に、このクランプ部分のボルトの強度区分が８．８となっており、落下物の落下による衝撃があっても容易に外れないように固定されている。
【００２０】
（本件落下防止装置の使用方法）
最後に、本件落下防止装置１０の使用方法を説明する。使用者は、枠組み足場の支柱２１に、第一クランプ１５と第二クランプ１６を固定して、水平方向の所定間隔ごとに、本件落下防止装置１０を固定する。その際、複数の落下防止装置１０における踏板受け管１１の角度と固定位置を揃えるために、第二クランプ１６の設置高さ及び第一クランプ１５と第二クランプ１６の間隔をそろえる必要がある。最後に、第二ストッパー金具１９とスライド金具１３に間に所定寸法の踏板を固定する。
工事が終了して本件落下防止装置１０を解体する場合には、この逆の順番に作業を行えばよい。
【符号の説明】
【００２１】
１０  足場用落下防止装置
１１  踏板受け管
１２  支持管
１３  スライド金具
１４  補強管
１４ａ  補強管固定ピン
１５  第一クランプ
１６  第二クランプ
１７  逆Ｕ字環
１８  第一ストッパー金具
１９  第二ストッパー金具
２０  踏板
２１  支柱
【図１】
0003233374.tif 000003
【図２】
0003233374.tif 000004
【図３】
0003233374.tif 000005
【図４】
0003233374.tif 000006
【図５】
0003233374.tif 000007